(57)【要約】【課題】  巻きストレッチフィルムの紙管に装着されたストレッチフィルム操作具が作業中に紙管より抜けてしまう。【解決手段】  ストレッチフィルム操作具は、左右の紙管操作グリップと紙管支持ドラムの構成であって、左右の紙管操作グリップは、グリップボディーの上部と下部にブレーキパットが装着され、ブレーキパットにはブレーキ帯が貫通する穴が形成され、ブレーキ帯の両端はフックが形成され、両端のフックは上下のブレーキパットの穴を貫通してグリップボディーに形成されたフック留に留められていて、グリップボディーにブレーキ帯を引っ張るためのドラム回転調整装置が装着されている、と共に、左右の紙管支持ドラムに雄螺子が形成され一方の雄螺子は右螺子であって他方の雄螺子は左螺子に成っている。【選択図】  図１
2020104857.tif 000002
【特許請求の範囲】
【請求項１】
ストレッチフィルム操作具において、ストレッチフィルム操作具は、左右の紙管操作グリップと紙管支持ドラムの構成であって、左右の紙管操作グリップのグリップボディーに紙管支持ドラム留めフックが設けられていて、左右の紙管支持ドラムにブレーキリングと溝が形成され、溝に紙管支持ドラム留めフックがはまっていて、左右の紙管支持ドラムに雄螺子が形成され一方の雄螺子は右螺子であって他方の雄螺子は左螺子に成っていて、紙管に紙管支持ドラムを装着時に紙管の内面に雄螺子が食い込んで雄螺子形状を反映した雌螺子を作ることが出来ることを特徴とするストレッチフィルム操作具。
【請求項２】
前記左右の紙管操作グリップは、グリップボディーの上部と下部にブレーキパットが装着され、ブレーキパットにはブレーキ帯が貫通する穴が形成され、ブレーキ帯の両端はフックに成っていて、両端のフックは上下のブレーキパットの穴を貫通してグリップボディーに装着されたフック留に留められていて、フック留の一部はボルト形状であって、ボルトにナットが装着されていて、フック留と、ボルトとナットによるブレーキ帯調整装置に成っている、ことを特徴とする請求項1に記載のストレッチフィルム操作具。
【請求項３】
ストレッチフィルム操作具において、ストレッチフィルム操作具は、左右の紙管操作グリップと紙管支持ドラムの構成であって、左右の紙管操作グリップは、硬質素材で形成されたグリップシャフトの周囲を軟質素材で形成されたブレーキグリップが覆っていて、グリップシャフトの一端にブレーキグリップ脱落止めが設けられていて、ブレーキグリップはグリップシャフトを軸として回転自在であって、紙管支持ドラムにグリップリングが設けられて、紙管支持ドラムの中心にグリップシャフト装着管が形成され、グリップシャフト装着管にグリップシャフトの一端が挿入され、グリップシャフト装着管とグリップシャフトは一体に固定されていて、左右の紙管支持ドラムの表面に雄螺子が形成され、一方の紙管支持ドラム表面の雄螺子は右螺子であって他方の紙管支持ドラム表面の雄螺子は左螺子に成っていて、紙管に紙管支持ドラムを装着時に紙管の内面に雄螺子が食い込んで雄螺子形状を反映した雌螺子を作ることが出来ることを特徴とするストレッチフィルム操作具。
【請求項４】
ストレッチフィルム操作具において、ストレッチフィルム操作具は、紙管支持具と回転カッターとグリップの構成から成っていて、回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーが装着され、カッター刃軸にカッター刃が装着されていて、ブレーキ管にブレーキパット装着穴が設けられていて、ブレーキパット装着穴にブレーキパットが挿入してあり、ブレーキパットはスプリングで押さえられている、と共に、紙管支持具は、回転軸の中央部にブレーキデスクリングが形成され、ブレーキ管に回転軸が貫通しブレーキデスクリングに並んで回転軸にブレーキ管が装着されていて、回転軸に突起が設けてあって、紙管支持ドラムに突起の形状を反映した開口部が形成されていて、回転軸と紙管支持ドラムは一体に回転して、紙管支持ドラムの表面に雄螺子が形成され、切り込みが設けられている、又、回転軸の中央部にグリップ移動防止め輪と、回転軸の下端にグリップフックが形成され、グリップに回転軸が貫通すると共にグリップ移動防止め輪とグリップフックの間にグリップが回転自在に装着されていて、グリップの上端にブレーキ板が固定装着されていて、ブレーキ板に紙管コントロール突起と回転カッター止め突起を設けていて、ブレーキ板を押して回転カッターとストレッチフィルムの回転を操作出来ることを特徴とするストレッチフィルム操作具。
【請求項５】
前記グリップの中央部から上は回転軸を貫通して、グリッの上端に回転軸脱落止めフックが設けられて、一体の回転軸と紙管支持ドラムはグリップを軸として回転自在に成っていることを特徴とする請求項４に記載のストレッチフィルム操作具
【請求項６】
ストレッチフィルム操作具において、ストレッチフィルム操作具は、紙管支持具とリフトハンドルと回転カッターの構成であって、紙管支持具は、紙管に装着された紙管支持ドラムは延長されブレーキデスク筒に成っていて、紙管支持ベースにブレーキデスク筒が貫通する紙管支持ベース筒が形成され、支持ベース筒の内側で紙管支持ドラムとブレーキデスク筒は回転と移動が出来て、ブレーキデスク筒の内側に紙管支持ドラム操作板が形成され、紙管支持ドラム操作板に紙管支持ドラム操作筒が装着されていて、紙管支持ドラムの表面に雄螺子と切り込みが形成され紙管支持ドラムの外周の距離は変化できて、紙管支持ベース筒に穴が設けられ紙管支持ベース筒の周囲にブレーキパッドを有するブレーキベルトが設けてあって、穴にブレーキパッドがはまってブレーキパッドとブレーキデスク筒が接触していて、ブレーキベルトの端は紙管支持ベースに留められている、と共に、リフトハンドルは、上下の紙管支持ベースにリフトハンドルベースの両端が固定装着されていて、リフトハンドルベースにブレーキレバーが装着され、上下のブレーキベルトを繋ぐジョイントベルトが設けられていて、ブレーキレバーと、紙管支持ドラム操作筒の操作により巻きストレッチフィルムの回転を調整出来ることを特徴とするストレッチフィルム操作具。
【請求項７】
前記回転カッターは、カッター支持アームにカッター支持アームリングと補助ローラー支持アームに補助ローラー支持アームリングが形成され、紙管支持ベース筒の一部はフックに成っていて、フックはカッター支持アームリングと補助ローラー支持アームリングの横ずれを止めていて、上下のカッター支持アームの間にカッタースライドバーとローラー軸が装着され、カッタースライドバーにカッタースライドベースがローラー軸にローラーが装着されて、カッタースライドベースにカッター刃を有するカッター刃レバーがカッター刃レバーを跳ね上げるスプリングと共に葉動自在に装着されていて、上下の補助ローラー支持アームの間に補助ローラー軸が設けられ、補助ローラー軸に補助ローラーが装着されて、カッター支持アームにストッパーボタンが設けられていて、ストッパーボタンを補助ローラー支持アームに係止して、ローラーと補助ローラーの距離を保持できて、紙管支持ベース筒にアームスプリングが装着され、ローラーと補助ローラーでストレッチフィルムを挟みカッター刃で切断出来ることを特徴とする請求項６に記載のストレッチフィルム操作具。
【発明の詳細な説明】
【技術分野】
【０００１】
紙管にストレッチフィルムを巻き付けた、巻きストレッチフィルムを所定のものに巻き付ける際に紙管に装着するストレッチフィルム操作具に関する。
【背景技術】
【０００２】
巻きストレッチフィルムの紙管の両端より紙管にストレッチフィルム操作具を差し込んでいた。
【先行技術文献】
【特許文献】
【０００３】
【特許文献１】特開２０１１−２０１６０６
【特許文献２】特開２０１０−０１３１５７
【特許文献３】特開平０８−１１９２４２
【特許文献４】実登３１７２９７２
【非特許文献】
【０００４】
【非特許文献１】トラスコ製品(ＴＳＤ−７７３)
【非特許文献２】トラスコ製品(ＴＳＤ−７７４)
【発明の概要】
【０００５】
本考案のストレッチフィルム操作具は、左右の紙管操作グリップと紙管支持ドラムの構成であって、左右の紙管操作グリップは、グリップボディーの上部と下部にブレーキパットが装着され、ブレーキパットにはブレーキ帯が貫通する穴が形成され、ブレーキ帯の両端はフックが形成され、両端のフックは上下のブレーキパットの穴を貫通してグリップボディーに形成されたフック留に留められていて、グリップボディーにブレーキ帯を引っ張るためのドラム回転調整装置が装着されている。
【０００６】
左右の紙管支持ドラムに雄螺子と切り込みが形成され、一方の雄螺子は右螺子であって他方の雄螺子は左螺子に成っていて、紙管に紙管支持ドラムを装着時に紙管の内径の違いを紙管支持ドラムの外径の距離の変化により吸収出来る。
【発明が解決しようとする課題】
【０００７】
トラスコ製品(ＴＳＤ−７７３)の場合は、紙管調整ハンドルレバーが紙管支持ドラムの内側に設けられているため、手探りでの紙管調整ハンドルレバー操作は難しく効果は限定される、又紙管支持ドラムに紙管脱落止めの対策は不十分である。
【０００８】
トラスコ製品(ＴＳＤ−７７４)の場合は、紙管調整パットを押さえている時のみ紙管の調整が可能であるためフィルムの張りを維持出来ない、又紙管支持ドラムに紙管脱落止めの対策は不十分である。
【０００９】
ホクセツグループ製品、又は株式会社ハンディクラウン製品の１０センチストレッチフィルム操作具は、紙管装着軸とグリップとの結合部にブレーキ板を固定装着して、ブレーキ板に紙管コントロール突起が設けてあって、ストレッチフィルムを所望の物に巻き付け、ブレーキ板を指で押さえてストレッチフィルムを引き伸ばし引きちぎるものであるが、伸びて縮んだストレッチフィルム端が巻きストレッチフィルムに残らない場合がありストレッチフィルム端を容易に取り出せない問題点がある。
【００１０】
片手使用のハンディタイプストレッチフィルム操作具においては、ストレッチフィルムを引き伸ばすことが出来る幅が１０センチ以上は困難である。
【００１１】
ストレッチフィルムを引き伸ばし引きちぎるストレッチフィルム操作具は、ストレッチフィルムを引き伸ばし引きちぎる作業を多くの回数を繰り返しするのは大変である。
【００１２】
巻きストレッチフィルムを装着して使用する紙管の内径が3インチのストレッチホルダーは、紙管の左右からストレッチホルダーを挿入するだけの形状ではストレッチホルダーが紙管から外れてしまう、片手で巻きストレッチフィルムのコントロールが出来ない解決すべき問題点がある。
【課題を解決するための手段】
【００１３】
本考案１は、ストレッチフィルム操作具において、ストレッチフィルム操作具は、左右の紙管操作グリップと紙管支持ドラムの構成であって、左右の紙管操作グリップのグリップボディーに紙管支持ドラム留めフックが設けられていて、左右の紙管支持ドラムにブレーキリングと溝が形成され、溝に紙管支持ドラム留めフックがはまっていて、左右の紙管支持ドラムに雄螺子が形成され一方の雄螺子は右螺子であって他方の雄螺子は左螺子に成っていて、紙管に紙管支持ドラムを装着時に紙管の内面に雄螺子が食い込んで雄螺子形状を反映した雌螺子を作ることが出来るストレッチフィルム操作具。
【００１４】
前記左右の紙管操作グリップは、グリップボディーの上部と下部にブレーキパットが装着され、ブレーキパットにはブレーキ帯が貫通する穴が形成され、ブレーキ帯の両端はフックに成っていて、両端のフックは上下のブレーキパットの穴を貫通してグリップボディーに装着されたフック留に留められていて、フック留の一部はボルト形状であって、ボルトにナットが装着されていて、フック留と、ボルトとナットによるブレーキ帯調整装置に成っているストレッチフィルム操作具。
【００１５】
本考案２は、ストレッチフィルム操作具において、ストレッチフィルム操作具は、左右の紙管操作グリップと紙管支持ドラムの構成であって、左右の紙管操作グリップは、硬質素材で形成されたグリップシャフトの周囲を軟質素材で形成されたブレーキグリップが覆っていて、グリップシャフトの一端にブレーキグリップ脱落止めが設けられていて、ブレーキグリップはグリップシャフトを軸として回転自在であって、紙管支持ドラムにグリップリングが設けられて、紙管支持ドラムの中心にグリップシャフト装着管が形成され、グリップシャフト装着管にグリップシャフトの一端が挿入され、グリップシャフト装着管とグリップシャフトは一体に固定されていて、左右の紙管支持ドラムの表面に雄螺子が形成され、一方の紙管支持ドラム表面の雄螺子は右螺子であって他方の紙管支持ドラム表面の雄螺子は左螺子に成っていて、紙管に紙管支持ドラムを装着時に紙管の内面に雄螺子が食い込んで雄螺子形状を反映した雌螺子を作ることが出来るストレッチフィルム操作具。
【００１６】
本考案３は、ストレッチフィルム操作具において、ストレッチフィルム操作具は、紙管支持具と回転カッターとグリップの構成から成っていて、回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーが装着され、カッター刃軸にカッター刃が装着されていて、ブレーキ管にブレーキパット装着穴が設けられていて、ブレーキパット装着穴にブレーキパットが挿入してあり、ブレーキパットはスプリングで押さえられている、と共に、紙管支持具は、回転軸の中央部にブレーキデスクリングが形成され、ブレーキ管に回転軸が貫通しブレーキデスクリングに並んで回転軸にブレーキ管が装着されていて、回転軸に突起が設けてあって、紙管支持ドラムに突起の形状を反映した開口部が形成されていて、回転軸と紙管支持ドラムは一体に回転して、紙管支持ドラムの表面に雄螺子が形成され、切り込みが設けられている、又、回転軸の中央部にグリップ移動防止め輪と、回転軸の下端にグリップフックが形成され、グリップに回転軸が貫通すると共にグリップ移動防止め輪とグリップフックの間にグリップが回転自在に装着されていて、グリップの上端にブレーキ板が固定装着されていて、ブレーキ板に紙管コントロール突起と回転カッター止め突起を設けていて、ブレーキ板を押して回転カッターとストレッチフィルムの回転を操作出来るストレッチフィルム操作具。
【００１７】
前記グリップの中央部から上は回転軸を貫通して、グリッの上端に回転軸脱落止めフックが設けられて、一体の回転軸と紙管支持ドラムはグリップを軸として回転自在に成っているストレッチフィルム操作具
【００１８】
本考案４は、ストレッチフィルム操作具において、ストレッチフィルム操作具は、紙管支持具とリフトハンドルと回転カッターの構成であって、紙管支持具は、紙管に装着された紙管支持ドラムは延長されブレーキデスク筒に成っていて、紙管支持ベースにブレーキデスク筒が貫通する紙管支持ベース筒が形成され、支持ベース筒の内側で紙管支持ドラムとブレーキデスク筒は回転と移動が出来て、ブレーキデスク筒の内側に紙管支持ドラム操作板が形成され、紙管支持ドラム操作板に紙管支持ドラム操作筒が装着されていて、紙管支持ドラムの表面に雄螺子と切り込みが形成され紙管支持ドラムの外周の距離は変化できて、紙管支持ベース筒に穴が設けられ紙管支持ベース筒の周囲にブレーキパッドを有するブレーキベルトが設けてあって、穴にブレーキパッドがはまってブレーキパッドとブレーキデスク筒が接触していて、ブレーキベルトの端は紙管支持ベースに留められている、と共に、リフトハンドルは、上下の紙管支持ベースにリフトハンドルベースの両端が固定装着されていて、リフトハンドルベースにブレーキレバーが装着され、上下のブレーキベルトを繋ぐジョイントベルトが設けられていて、ブレーキレバーと、紙管支持ドラム操作筒の操作により巻きストレッチフィルムの回転を調整出来るストレッチフィルム操作具。
【００１９】
前記回転カッターは、カッター支持アームにカッター支持アームリングと補助ローラー支持アームに補助ローラー支持アームリングが形成され、紙管支持ベース筒の一部はフックに成っていて、フックはカッター支持アームリングと補助ローラー支持アームリングの横ずれを止めていて、上下のカッター支持アームの間にカッタースライドバーとローラー軸が装着され、カッタースライドバーにカッタースライドベースがローラー軸にローラーが装着されて、カッタースライドベースにカッター刃を有するカッター刃レバーがカッター刃レバーを跳ね上げるスプリングと共に葉動自在に装着されていて、上下の補助ローラー支持アームの間に補助ローラー軸が設けられ、補助ローラー軸に補助ローラーが装着されて、カッター支持アームにストッパーボタンが設けられていて、ストッパーボタンを補助ローラー支持アームに係止して、ローラーと補助ローラーの距離を保持できて、紙管支持ベース筒にアームスプリングが装着され、ローラーと補助ローラーでストレッチフィルムを挟みカッター刃で切断出来るストレッチフィルム操作具。
【００２０】
本考案１のストレッチフィルム操作具は、紙管にストレッチフィルムを巻き付けた巻きストレッチフィルムの紙管に装着して使用するストレッチフィルム操作具は、左右の紙管操作グリップと紙管支持ドラムの構成から成っている。
【００２１】
左右の紙管操作グリップは、グリップボディーの上部と下部にブレーキパットが設けてあって、ブレーキパットにはブレーキ帯が貫通する穴が形成され、ブレーキ帯の両端はフックに成っていて、両端のフックは上下のブレーキパットの穴を貫通してフック留に留められている。
【００２２】
フック留の上部はボルト形状にであって、ボルトにナットが装着されていて、フック留と、ボルトとナットによるブレーキ帯調整装置に成っている。  
【００２３】
紙管支持ドラムにブレーキリングと溝が形成され、グリップボディーに紙管支持ドラム留めフック設けてあって、溝に管支持ドラム留めフックがはまっていて、左右の紙管支持ドラムに雄螺子が形成され、一方の雄螺子は右螺子であって他方の雄７子は左螺子に成っている。
【００２４】
本考案２のストレッチフィルム操作具は、紙管にストレッチフィルムを巻き付けた巻きストレッチフィルムの紙管に装着して使用するストレッチフィルム操作具は、左右の紙管操作グリップと紙管支持ドラムの構成から成っている。
【００２５】
左右の紙管操作グリップは、硬質素材で形成されたグリップシャフトの周囲を軟質素材で形成されたブレーキグリップが覆っていて、ブレーキグリップはグリップシャフトを軸として回転自在であって、グリップシャフトの一端にブレーキグリップ脱落止めが設けられている。
【００２６】
紙管支持ドラムにグリップリングが設けられて、紙管支持ドラムの中心にグリップシャフト装着管が形成され、グリップシャフト装着管にグリップシャフトの一端が挿入されていて、グリップシャフト装着管とグリップシャフトは一体に固定されていて、左右の紙管支持ドラムの表面に雄螺子が形成され、一方の紙管支持ドラム表面の雄螺子は右螺子であって他方の紙管支持ドラム表面の雄螺子は左螺子に成っていて、左右の紙管支持ドラムに切り込みを設けている。
【００２７】
左右の紙管支持ドラムの表面に雄螺子が形成された紙管支持ドラムは円筒形部分の３面と円筒形部分と円筒形部分との間の３面との６分割された変形であって、紙管支持ドラムの周囲の距離は支持ドラムの円周の全てが円筒形の場合よりも短い距離に成っている。
【００２８】
本考案３のストレッチフィルム操作具は、紙管にストレッチフィルムを巻き付けた巻きストレッチフィルムを装着して使用するストレッチフィルム操作具であって、ストレッチフィルム操作具は、は紙管支持具と回転カッターとハンドルの構成から成っている。
【００２９】
回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーが装着され、カッター刃軸にカッター刃が装着されていて、ブレーキ管にブレーキパット装着穴が設けられていて、ブレーキパット装着穴にブレーキパットが挿入してあり、ブレーキパットはスプリングで押さえられている。
【００３０】
紙管支持具は、上端から下端迄伸びる回転軸の中央部にブレーキデスクリングが形成され、ブレーキ管に回転軸が貫通しブレーキデスクリングに並んで回転軸にブレーキ管が装着されていて、回転軸の上部に紙管支持ドラムの移動を防止する為の紙管支持ドラム移動防止め輪と、回転軸の上端に紙管支持ドラム脱落止めフックが形成され、回転軸の紙管支持ドラム脱落止めフックと紙管支持ドラム移動防止め輪の間に突起が設けてあって、紙管支持ドラムに突起の形状を反映した開口部が形成されていて、紙管支持ドラムの表面に雄螺子が形成され、切り込みが設けられている。
【００３１】
回転軸の中央部にグリップの移動防止の為のグリップ移動止め輪と、回転軸の下端にグリップ脱落止めのグリップフックが形成され、グリップに回転軸が貫通すると共にグリップ移動止め輪とグリップフックの間にグリップが回転自在に装着されていて、グリップの上端にブレーキ板が固定装着されていて、ブレーキ板に紙管コントロール突起と回転カッター止め突起を設けている。
【００３２】
前記のグリップが上に延長され回転軸を貫通している形状のストレッチフィルム操作具は、上端から中間部迄伸びる回転軸の下部にブレーキデスクリングが形成され、ブレーキ管に回転軸が貫通し、ブレーキデスクリングに並んで回転軸にブレーキ管が装着されていて、回転軸に突起が形成され、紙管支持ドラムに突起の形状を反映した開口部が設けてあって、開口部に突起がはまって、回転軸と紙管支持ドラムは一体となっていて、紙管支持ドラムの表面に雄螺子が形成され、切り込みが設けられている。
【００３３】
グリップの中央部から上は回転軸を貫通して、グリップの上端に回転軸脱落止めフックが設けられて、一体の回転軸と紙管支持ドラムはグリップを軸として回転自在に成っていて、グリップの中央部にブレーキ板が固定装着されていて、ブレーキ板に紙管コントロール突起と回転カッター止め突起を設けている。
【００３４】
本考案４のストレッチフィルム操作具は、紙管にストレッチフィルムを巻き付けた巻きストレッチフィルムを装着して使用するストレッチフィルム操作具であって、紙管支持具とリフトハンドルと回転カッターから成っている。
【００３５】
紙管支持具は、紙管に装着された紙管支持ドラムは延長されてブレーキデスク筒に成っていて、上下の紙管支持ベースにブレーキデスク筒が貫通する紙管支持ベース筒が形成され、ブレーキデスク筒の内側に紙管支持ドラム操作板が形成され、紙管支持ドラム操作板に紙管支持ドラム操作筒が装着されている。
【００３６】
紙管支持ドラムの表面に雄螺子と切り込みが形成され、紙管支持ベース筒に穴が設けられていて、紙管支持ベース筒の周囲にブレーキパッドを有するブレーキベルトが設けてあって、穴にブレーキパッドがはまってブレーキパッドとブレーキデスク筒が接触していて、ブレーキベルトの端は紙管支持ベースに留められている。
【００３７】
回転カッターは、カッター支持アームに紙管支持ベース筒が貫通するカッター支持アームリングが形成され、補助ローラー支持アームに紙管支持ベース筒が貫通する補助ローラー支持アームリングが形成され、紙管支持ベース筒の一部はフックに成っていて、フックはカッター支持アームリングと補助ローラー支持アームリングの横ずれを止めている。
【００３８】
上下のカッター支持アームの間にカッタースライドバーとローラー軸が装着され、カッタースライドバーにカッタースライドベースがローラー軸にローラーが装着されて、カッタースライドベースにカッター刃を有するカッター刃レバーがカッター刃レバーを跳ね上げるスプリングと共に葉動自在に装着されている。
【００３９】
上下の補助ローラー支持アームの間に補助ローラー軸が設けられ、補助ローラー軸に補助ローラーが装着されて、カッター支持アームにローラーと補助ローラーの距離を保持する為のストッパーボタンが設けられている。
【００４０】
カッター支持アームリングと補助ローラー支持アームリングが接する面のカッター支持アームリングと補助ローラー支持アームリングにスプリングスペースが設けられ、紙管支持ベース筒にアームスプリングが装着され、アームスプリングの一端はカッター支持アームリングに他端は補助ローラー支持アームリングに係止されている。
【００４１】
リフトハンドルは、上下の紙管支持ベースにリフトハンドルベースの両端が固定装着されていて、リフトハンドルベースにブレーキレバーが装着され、上下のブレーキベルトを繋ぐジョイントベルトが設けられている。
【発明の効果】
【００４２】
以下図面に基づき説明する。
本考案１、図１−図７符合１−符合２１は、紙管(１)にストレッチフィルム（２）を巻き付けた巻きストレッチフィルム(２)の紙管に装着して使用するストレッチフィルム操作具（３）は、左右の紙管操作グリップ(４)と紙管支持ドラム(５)から成っていて、左右の紙管操作グリップ(４)は、グリップボディー(６)の上部と下部にブレーキパット(７)が設けてあって、ブレーキパット(７)にはブレーキ帯(８)が貫通する穴(９)が形成されていて、ブレーキ帯(８)の両端はフック(１０)が形成され、両端のフック(１０)は上下のブレーキパット(７)の穴(９)を貫通してグリップボディー(６)に装着されたフック留(１１)に留められていて、フック留(１１)の一部はボルト(１２)形状であって、ボルト(１２)にナット(１３)が装着されていて、フック留(１１)と、ボルト(１２)とナット(１３)によるブレーキ帯調整装置が構成されていることにおいて、ナット(１３)を回す方向によりフック留(１１)がブレーキリング(１４)より離れる又接近する様に移動して、ブレーキ帯(８)の張りの調整によるブレーキリング(１４)と、グリップボディー(６)の上部と下部のブレーキパット(７)の摩擦によるストレッチフィルム（２）の引出し張りの調整ができる。  
【００４３】
グリップボディー(６)にスプリング(１８)を設けることにおいて、ブレーキ帯調整装置の移動の際にブレーキパット(７)とブレーキリング(１４)の接触を滑らかな調整が可能になりストレッチフィルム（２）の引出し張りの微調整が出来る。
【００４４】
紙管支持ドラム(５)にブレーキリング(１４)と溝(１５)が形成され、グリップボディー(６)に紙管支持ドラム留めフック(１６)設けてあって、溝(１５)に紙管支持ドラム留めフック(１６)がはまっていて、左右の紙管支持ドラム(５)に雄螺子(１７)が形成され、一方の紙管支持ドラム(５)の雄螺子(１７)は右螺子であって他方の紙管支持ドラム(５)の雄螺子(１７)は左螺子に成っていることにおいて、紙管支持ドラム(５)を紙管(１)に装着時に雄螺子(１７)により紙管(１)が変形し、紙管(１)の内面に雄螺子(１７)形状を反映した雌螺子を作ることが出来て、ストレッチフィルム（２）の引出しの際に左右の紙管支持ドラム(５)と紙管(１)との接合が緩む事がない、と共に、一方の紙管操作グリップ(４)で巻きストレッチフィルム(２)を吊り下げても紙管(１)から紙管支持ドラム(５)が抜け落ちる事がない。
【００４５】
左右の紙管支持ドラム(５)の表面に雄螺子(１７)が形成された紙管支持ドラム(５)は円筒形部分(２０)の３面と、円筒形部分と円筒形部分との間の円筒間(２１)３面との６分割された変形であって、紙管支持ドラム(５)の円周の距離は支持ドラム(５)の円周の全てが円筒形の場合よりも短い距離に成っていることにおいて、数多い内径の距離の若干違う紙管(１)に紙管支持ドラム(５)を挿入する場合は紙管(１)が変形する、と共に、切り込み(１９)により紙管支持ドラム(５)の周囲の距離も減少することができて、紙管(１)の内径の距離の違いを吸収出来る。
【００４６】
本考案２、図８−図１１符合５１−符合６４は、紙管(５１)にストレッチフィルム(５２)を巻き付けた巻きストレッチフィルム(５２)の紙管(５１)に装着して使用するストレッチフィルム操作具（５３）は、左右の紙管操作グリップ(５４)と紙管支持ドラム(５５)の構成であって、左右の紙管操作グリップ(５４)は、硬質素材で形成されたグリップシャフト(５６)の周囲を軟質素材で形成されたブレーキグリップ(５７)が覆っていて、ブレーキグリップ(５７)はグリップシャフト(５６)を軸として回転自在であって、グリップシャフト(５６)の一端にブレーキグリップ脱落止め(５８)が設けられていることにおいて、所望する箇所にストレッチフィルム（５２）を巻き付けながらブレーキグリップ(５７)の握りの強弱でブレーキグリップ(５７)とグリップシャフト(５６)の摩擦を変えてストレッチフィルム（５２）の引出し張りを調整出来る。
【００４７】
左右の紙管支持ドラム(５５)に雄螺子(６１)が形成され、一方の紙管支持ドラム(５５)の雄螺子(６１)は右螺子であって他方の紙管支持ドラム(５５)の雄螺子(６１)は左螺子に成っていることにおいて、紙管支持ドラム(５５)を紙管(５１)に装着時に雄螺子(６１)により紙管(５１)が変形し、紙管(５１)の内面に雄螺子(６１)形状を反映した雌螺子を作ることが出来て、ストレッチフィルム（５２）の引出しの際に左右の紙管支持ドラム(５５)と紙管(５１)との接合が緩む事がない、と共に、一方のブレーキグリップ(５７)を握って巻きストレッチフィルム(５２)を吊り下げても紙管(５１)から紙管支持ドラム(５５)が抜け落ちる事がない。
【００４８】
左右の紙管支持ドラム(５５)の表面に雄螺子(６１)が形成された紙管支持ドラム(５５)は円筒形部分(６３)の３面と円筒形部分と円筒形部分との間の円筒間(２４)３面との６分割された変形であって、紙管支持ドラム(５５)の円周の距離は支持ドラム(５５)の円周の全てが円筒形の場合よりも短い距離に成っていることにおいて、数多い内径の距離の若干違う紙管(５１)に紙管支持ドラム(５５)を挿入する場合は紙管(５１)が変形する、と共に、切り込み(６２)により紙管支持ドラム(５５)の周囲の距離も減少することができて、紙管(５１)の内径の距離の違いを吸収出来る。
【００４９】
紙管支持ドラム(５５)にグリップリング(５９)が設けられていることにおいて、ストレッチフィルム操作具（５３）を紙管(５１)への装着の際に、ブレーキグリップ(５９)を強く握って紙管(５１)の左右に紙管支持ドラム(５５)の雄螺子(６１)をねじ込んで、紙管(５１)に雄螺子(６１)を食い込ませることが出来る。
【００５０】
本考案３、図１２−図１８符合１０１−符合１４３のストレッチフィルム操作具(１０１)は、回転軸(１１７)の上部に紙管支持ドラム(１１９)の移動を防止する為の紙管支持ドラム移動止輪(１２０)と、回転軸(１１７)の上端に紙管支持ドラム脱落止めフック(１２１)が形成され、紙管支持ドラム脱落止めフック(１２１)と紙管支持ドラム移動止め輪(１２０)の間の回転軸(１１７)に突起(１２２)が設けてあって、紙管支持ドラム(１１９)に突起(１２２)の形状を反映した開口部(１２３)が形成されて、紙管支持ドラム脱落止めフック(１２１)と紙管支持ドラム移動止め輪(１２０)の間の回転軸(１１７)に紙管支持ドラム(１１９)を装着されていることにおいて、開口部(１２３)に突起(１２２)がはまって回転軸(１１７)と紙管支持ドラム(１１９)は一体に回転する。
【００５１】
ブレーキ管(１０７)がカッター刃アーム(１０８)から上下に伸びて、ブレーキ管(１０７)がカッター刃アーム(１０８)より紙管支持ドラム(１１９)の中まで伸びていることにおいて、回転カッター(１０５)が回転する際の振れを小さく出来る。
【００５２】
ブレーキ管(１０７)に回転軸(１１７)が貫通しブレーキデスクリング(１１８)に並んで回転軸(１１７)にブレーキ管(１０７)が装着されていて、ブレーキ管(１０７)にブレーキパット装着穴(１１４)が設けられていて、ブレーキパット装着穴(１１４)にブレーキパット(１１５)が挿入してあり、ブレーキパット(１１５)はスプリング(１１６)で押さえられていることにおいて、ストレッチフィルム(１０３)を所望の物に巻き付けストレッチフィルム(１０３)が引き出されるとブレーキパット(１１５)と回転軸(１１７)の摩擦のより回転軸(１１７)に付いて回転カッター(１０５)を回転する事が出来る、と共に、ローラー(１１２)がストレッチフィルム(１０３)に接触後はブレーキパット(１１５)と回転軸(１１７)の接触は滑ってストレッチフィルム(１０３)とローラー(１１２)の接触を保つことが出来る。
【００５３】
回転軸(１１７)の中央部にグリップ(１２６)の移動防止のグリップ移動止め輪(１２７)と、回転軸(１１７)の下端にグリップ(１２６)脱落止めのグリップフック(１２８)が形成され、グリップ(１２６)に回転軸(１１７)が貫通すると共にグリップ移動止め輪(１２７)とグリップフック(１２８)の間にグリップ(１２６)が装着されていて、グリップ(１２６)の上端にブレーキ板(１２９)が固定装着されていて、ブレーキ板(１２９)に紙管コントロール突起(１３０)と回転カッター止め突起(１３１)を設けていることにおいて、ブレーキ板(１２９)を押して紙管コントロール突起(１３０)をブレーキデスクリング(１１８)に又、回転カッター止め突起(１３１)をブレーキ管(１０７)に押し当て回転カッター(１０５)の回転を止めてカッター刃(１１３)でストレッチフィルム(１０３)を切断できる。
【００５４】
紙管支持ドラム(１１９)の表面に雄螺子(１２４)が形成され、切り込み(１２５)が設けられていることにおいて、内径の異なる紙管(１０２)に対して紙管支持ドラム(１１９)の外周の距離の変化が出来て、内径の異なる紙管(１０２)に紙管支持ドラム(１１９)がフィットする。
【００５５】
本考案４、図１９−図２４符合１５１−符合１８５のストレッチフィルム操作具(１５１)は、紙管(１５２)にストレッチフィルム(１５３)を巻き付けた巻きストレッチフィルム(１５３)を装着して使用するストレッチフィルム操作具(１５１)であって、紙管支持具(１５４)とリフトハンドル(１５５)と回転カッター(１５６)から成っていて、紙管(１５２)に装着された紙管支持ドラム(１５７)は延長されてブレーキデスク筒(１５８)に成っていて、上下の紙管支持ベース(１５９)に紙管支持ベース筒(１６０)が形成されていることにおいて、支持ベース筒(１６０)の内側で紙管支持ドラム(１５７)とブレーキデスク筒(１５８)を移動出来る。
【００５６】
紙管支持ドラム(１５７)の表面に雄螺子(１６３)と切り込み(１６４)が形成され、紙管支持ドラム(１５７)とブレーキデスク筒(１５８)の内側に紙管支持ドラム操作板(１６１)が形成されていることにおいて、紙管支持ドラム操作板(１６１)を回して紙管(１５２)の内面に紙管支持ドラム(１５７)の表面の雄螺子(１６３)を食い込ませる際に紙管支持ドラム(１５７)が内側にそり曲がって紙管支持ドラム(１５７)の外周の距離は変化して内径の異なる紙管(１５２)に対応出来る。
【００５７】
紙管支持ドラム操作板(１６１)に紙管支持ドラム操作筒(１６２)が装着され、紙管支持ドラム操作筒(１６２)に紙管支持ドラム操作筒(１６２)を覆うグリップ筒を設けることにおいて、グリップ筒の握りを強弱してストレッチフィルム(１５３)の繰り出しを操作出来る。
【００５８】
紙管支持ベース筒(１６０)に穴(１６５)が設けられていて、紙管支持ベース筒(１６０)の周囲にブレーキパッド(１６６)を有するブレーキベルト(１６７)が設けてあって、ブレーキベルト(１６７)の端は紙管支持ベース(１５９)に留められていることにおいて、穴(１６５)にブレーキパッド(１６６)がはまってブレーキパッド(１６６)とブレーキデスク筒(１５８)を接触させることができる。
【００５９】
リフトハンドルベース(１８３)の両端は紙管支持ベース(１５９)に固定装着されていて、リフトハンドルベース(１８３)にブレーキレバー(１８４)が装着され、上と下のブレーキベルト(１６７)を繋ぐジョイントベルト(１８５)が設けられていることにおいて、ブレーキレバー(１８４)を押して巻きストレッチフィルム(１５３)の回転を操作出来る。
【００６０】
回転カッター(１５６)は、カッター支持アーム(１６８)に紙管支持ベース筒(１６０)が貫通するカッター支持アームリング(１６９)が形成され、上下のカッター支持アーム(１６８)の間にカッタースライドバー(１７３)とローラー軸(１７４)が装着され、カッタースライドバー(１７３)にカッタースライドベース(１７５)がローラー軸(１７４)にローラー(１７６)が装着されていて、補助ローラー支持アーム(１７０)に紙管支持ベース筒(１６０)が貫通する補助ローラー支持アームリング(１７１)が形成され、上下の補助ローラー支持アーム(１７０)の間に補助ローラー軸(１７９)が設けられ、補助ローラー軸(１７９)に補助ローラー(１８０)が装着されていて、カッター支持アーム(１６８)に補助ローラー支持アーム(１７０)ストッパーボタン(１８１)が設けられていることにおいて、平面にストレッチフィルム操作具(１５１)の正面を下にして置いて、一方手でカッタースライドバー(１７３)を押さえて他方の手で補助ローラー(１８０)を引き上げるとストッパーボタン(１８１)によりローラー(１７６)と補助ローラー(１８０)の開いた状態を保持できて、ローラー(１７６)と補助ローラー(１８０)の間にストレッチフィルム(１５３)の端を通す事が出来る。
【００６１】
カッタースライドバー(１７３)にカッタースライドベース(１７５)が装着されて、カッタースライドベース(１７５)にカッター刃(１７７)を有するカッター刃レバー(１７８)がスプリングと共に装着されていることにおいて、カッター刃レバー(１７８)を押しカッタースライドベース(１７５)をスライドしてストレッチフィルム(１５３)を切断出来る。
【００６２】
補助ローラー軸(１７９)と補助ローラー(１８０)、又は、ローラー軸(１７４)とローラー(１７６)にラチェト機能を設けることにおいて、ストレッチフィルム(１５３)の巻き戻りの防止が出来る。
【図面の簡単な説明】
【００６３】
【図１】切断線Ａ−Ａ線と、切断線Ｂ−Ｂ線と，切断線Ｃ−Ｃ線を示すストレッチフィルム操作具（３）の平面図。
【図２】切断線Ｄ−Ｄ線を示すストレッチフィルム操作具（３）の右側面図。
【図３】図１のＡ−Ａ線切断部端面図。
【図４】図１のＢ−Ｂ線切断部端面図。
【図５】図２のＤ−Ｄ線切断部端面図。
【図６】図１のＣ−Ｃ線切断部端面図。
【図７】紙管(１)により雄螺子(１７)が押されて切り込み(１９)により紙管支持ドラム(５)が内側にしなり易い形状の紙管支持ドラム(５)の平面図。
【図８】左右のストレッチフィルム操作具（５３）の平面図
【図９】切断線Ｅ−Ｅ線と、切断線Ｆ−Ｆ線を示すストレッチフィルム操作具（５３）の平面図。
【図１０】図７のＥ−Ｅ線切断部端面図。
【図１１】図７のＦ−Ｆ線切断部端面図。
【図１２】ストレッチフィルム操作具(１０１)の正面図。
【図１３】ストレッチフィルム操作具(１０１)の右側面図。
【図１４】ストレッチフィルム操作具(１０１)の左側面図。
【図１５】切断線G−G線を示すストレッチフィルム操作具(１０１)の平面図。
【図１６】図１５のG−G線切断部端面図。
【図１７】紙管支持ドラム(１１９)の正面図。
【図１８】グリップの中央部から上は回転軸を貫通している場合の図１５のG−G線切断部端面図。
【図１９】切断線H−H線を示すストレッチフィルム操作具(１５１)の正面図。
【図２０】ストレッチフィルム操作具(１５１)の右側面図。
【図２１】ストレッチフィルム操作具(１５１)の左側面図。
【図２２】切断線J−J線を示すストレッチフィルム操作具(１５１)の平面図。
【図２３】図２２のJ−J線切断部端面図、紙管支持ベース筒(１６０)の一部のフック(１７２)と、紙管支持ドラム操作板(１６１)の位置は変更され参考イメージ図として記載されている。
【図２４】図１９のH−H線切断部端面図。
【発明を実施するための形態】
【００６４】
本考案１、図１−図７符合１−符合２１は、紙管(１)にストレッチフィルム(２)を巻き付けた巻きストレッチフィルムの紙管に装着して使用するストレッチフィルム操作具（３）は、左右の紙管操作グリップ(４)と紙管支持ドラム(５)の構成から成っている。
【００６５】
左右の紙管操作グリップ(４)は、グリップボディー(６)の上部と下部にブレーキパット(７)が設けてあって、ブレーキパット(７)にはブレーキ帯(８)が貫通する穴(９)が形成されていて、ブレーキ帯(８)の両端はフック(１０)が設けてあって、両端のフック(１０)は上下のブレーキパット(７)の穴(９)を貫通してフック留(１１)に留められている。
【００６６】
フック留(１１)の一部はボルト(１２)形状にであって、ボルト(１２)にナット(１３)が装着されていて、フック留(１１)と、ボルト(１２)とナット(１３)によるブレーキ帯調整装置に成っている。  
【００６７】
紙管支持ドラム(５)にブレーキリング(１４)と溝(１５)が形成され、グリップボディー(６)に紙管支持ドラム留めフック(１６)設けてあって、溝(１５)に管支持ドラム留めフック(１６)がはまっていて、左右の紙管支持ドラム(５)の表面に雄螺子(１７)が形成され、一方の雄螺子(１７)は右螺子であって他方の雄螺子(１７)は左螺子に成っている。
【００６８】
左右の紙管支持ドラム(５)の表面に雄螺子(１７)が形成された紙管支持ドラム(５)は円筒形部分(２０)の３面と、円筒形部分と円筒形部分との間の円筒間(２１)３面との６分割された変形であって、紙管支持ドラム(５)の円周の距離は支持ドラム(５)の円周の全てが円筒形の場合よりも短い距離であって、左右の紙管支持ドラム(５)に切り込み(１９)が設けられている。
【００６９】
ストレッチフィルム操作具（３）を紙管(１)への装着方法は、ブレーキパット(７)を強く押して紙管支持ドラム(５)をまわし紙管(１)の左右に紙管支持ドラム(５)の雄螺子(１７)をねじ込んで、紙管(１)に雄螺子(１７)を食い込ませて、使用可能状態になる。
【００７０】
ストレッチフィルム(２)が巻かれた紙管(１)に装着されたストレッチフィルム操作具（３）の使用方法は、ナット(１３)を回すと共にフック留(１１)がブレーキリング(１４)より離れる又近づく様に移動して、ブレーキ帯(８)の張りの調整によるブレーキリング(１４)とブレーキパット(７)の摩擦によるストレッチフィルム（２）の引出し張りを調整して、所望する箇所にストレッチフィルム（２）を巻き付けながらブレーキパット(７)を押してストレッチフィルム（２）の引出し張りを更に調整する。
【００７１】
本考案２、図８−図１１符合５１−符合６４は、紙管(５１)にストレッチフィルム(５２)を巻き付けた巻きストレッチフィルムの紙管に装着して使用するストレッチフィルム操作具（５３）は、左右の紙管操作グリップ(５４)と紙管支持ドラム(５５)の構成から成っている。
【００７２】
左右の紙管操作グリップ(５４)は、硬質素材で形成されたグリップシャフト(５６)の周囲を軟質素材で形成されたブレーキグリップ(５７)が覆っていて、ブレーキグリップ(５４)はグリップシャフト(５６)を軸として回転自在であって、グリップシャフト(５６)の一端にブレーキグリップ脱落止め(５８)が設けられている。
【００７３】
紙管支持ドラム(５５)にグリップリング(５９)が設けられて、紙管支持ドラム(５５)の中心にグリップシャフト装着管(６０)が形成され、グリップシャフト装着管(６０)にグリップシャフト(５６)の一端が挿入されていて、グリップシャフト装着管(６０)とグリップシャフト(５６)は一体に固定されていて、左右の紙管支持ドラム(５５)の表面に雄螺子(６１)が形成され、一方の紙管支持ドラム(５５)表面の雄螺子(６１)は右螺子であって他方の紙管支持ドラム(５５)表面の雄螺子(６１)は左螺子に成っていて、左右の紙管支持ドラム(５５)に切り込み(６２)を設けている。
【００７４】
左右の紙管支持ドラム(５５)の表面に雄螺子(６１)が形成された紙管支持ドラム(５５)は円筒形部分(６３)の３面と、円筒形部分と円筒形部分との間の円筒間(６４)３面との６分割された変形であって、紙管支持ドラム(５５)の周囲の距離は支持ドラム(５５)の円周の全てが円筒形の場合よりも短い距離に成っている。
【００７５】
ストレッチフィルム操作具（５３）を紙管(５１)への装着方法は、ブレーキグリップ(５９)を強く握って紙管(５１)の左右に紙管支持ドラム(５５)の雄螺子(６１)をねじ込んで、紙管(５１)に雄螺子(６１)を食い込ませて、使用可能状態になる。
【００７６】
ストレッチフィルム(５２)が巻かれた紙管(５１)に装着されたストレッチフィルム操作具（５３）の使用方法は、所望する箇所にストレッチフィルム（５２）を巻き付けながらブレーキグリップ(５７)の握りの強弱でブレーキグリップ(５７)とグリップシャフト(５６)の摩擦を変えてストレッチフィルム（５２）の引出し張りを調整する。
【００７７】
本考案３、図１２−図１８符合１０１−符合１４３のストレッチフィルム操作具(１０１)は、紙管(１０２)にストレッチフィルム(１０３)を巻き付けた巻きストレッチフィルム(１０３)を装着して使用するストレッチフィルム操作具（１０１）であって、ストレッチフィルム操作具(１０１)は、は紙管支持具(１０４)と回転カッター(１０５)とハンドル(１０６)の構成から成っている。
【００７８】
回転カッター(１０５)は、ブレーキ管(１０７)から水平方向に伸びるカッター刃アーム(１０８)が形成され、カッター刃アーム(１０８)から上に伸びるローラー軸(１０９)とカッター刃軸(１１０)が並んで形成され、ローラー軸(１０９)の端にローラー脱落防止めフック(１１１)設けられ、ローラー軸(１０９)にローラー(１１２)がカッター刃軸(１１０)にカッター刃(１１３)が装着されていて、ブレーキ管(１０７)にブレーキパット装着穴(１１４)が設けられていて、ブレーキパット装着穴(１１４)にブレーキパット(１１５)が挿入してあり、ブレーキパット(１１５)はスプリング(１１６)で押さえられている。
【００７９】
紙管支持具(１０４)は、上端から下端迄伸びる回転軸(１１７)の中央部にブレーキデスクリング(１１８)が形成され、ブレーキ管(１０７)に回転軸(１１７)が貫通しブレーキデスクリング(１１８)に並んで回転軸(１１７)にブレーキ管(１０７)が装着されていて、回転軸(１１７)の上部に紙管支持ドラム(１１９)の移動を防止する為の紙管支持ドラム移動防止め輪(１２０)と、回転軸(１１７)の上端に紙管支持ドラム脱落止めフック(１２１)が形成され、紙管支持ドラム脱落止めフック(１２１)と紙管支持ドラム移動防止め輪(１２０)の間の回転軸(１１７)に突起(１２２)が設けてあって、紙管支持ドラム(１１９)に突起(１２２)の形状を反映した開口部(１２３)が形成されていて、紙管支持ドラム(１１９)の表面に雄螺子(１２４)が形成され、切り込み(１２５)が設けられている。
【００８０】
回転軸(１１７)の中央部にグリップ(１２６)の移動防の為のグリップ移動止め輪(１２７)と、回転軸(１１７)の下端にグリップ(１２６)脱落止めのグリップフック(１２８)が形成され、グリップ(１２６)に回転軸(１１７)が貫通すると共にグリップ移動止め輪(１２７)とグリップフック(１２８)の間にグリップ(１２６)が回転自在に装着されていて、グリップ(１２６)の上端にブレーキ板(１２９)が固定装着されていて、ブレーキ板(１２９)に紙管コントロール突起(１３０)と回転カッター止め突起(１３１)を設けている。
【００８１】
ストレッチフィルム操作具(１０１)への巻きストレッチフィルム(１０３)の装着方法は、紙管(１０２)に紙管支持ドラム(１１９)を挿入し、ブレーキ板(１２９)を押して紙管支持ドラム(１１９)の回転を止め巻きストレッチフィルム(１０３)を回して紙管(１０２)の内面に雄螺子(１２４)を食い込ませる。
【００８２】
巻きストレッチフィルム(１０３)を装着したストレッチフィルム操作具(１０１)の使用方法は、一方の手でストレッチフィルム操作具(１０１)のグリップ(１２６)を握って他方の手で所望する製品とストレッチフィルム（１０３）を押さえて製品にストレッチフィルム(１０３)を巻き付ける際に、ブレーキ板(１２９)を軽く指で押さえて、ブレーキ板(１２９)に設けた紙管コントロール突起(１３０)とブレーキデスクリング(１１８)を適宜に接触させ製品にストレッチフィルム(１０３)を巻き付け始める。
【００８３】
製品にストレッチフィルム(１０３)を巻き付け始めると巻きストレッチフィルム(１０３)と回転軸(１１７)が一体に回転してブレーキパット(１１５)と回転軸(１１７)の摩擦のより回転カッター(１０５)は回転軸(１１７)に付いて回転する、と共に、ローラー(１１２)がストレッチフィルム(１０３)に接触後はブレーキパット(１１５)と回転軸(１１７)の接触は滑ってストレッチフィルム(１０３)とローラー(１１２)の接触は保たれていて、製品にストレッチフィルム(１０３)の巻き付けを完了させる。
【００８４】
製品にストレッチフィルム(１０３)の巻き付けを完了させ、ブレーキ板(１２９)を押して紙管コントロール突起(１３０)をブレーキデスクリング(１１８)に又、回転カッター止め突起(１３１)をブレーキ管(１０７)に押し当て回転カッター(１０５)とストレッチフィルム(１０３)の回転を止めてストレッチフィルム(１０３)を引き伸ばしてストレッチフィルム(１０３)をカッター刃(１１３)で切断すると、伸びて縮んだストレッチフィルム（１０３）の一端が製品と巻きストレッチフィルム(１０３)の両者にちじれた状態で残って居て次にストレッチフィルム（１０３）端を容易に取り出せる。
【００８５】
図１８に記載のストレッチフィルム操作具(１０１)は、グリップ(１３２)が上に延長され回転軸(１３３)を貫通している形状でであって、上端から中間部迄伸びる回転軸(１３３)の下部にブレーキデスクリング(１３４)が形成され、ブレーキ管(１３５)に回転軸(１３３)が貫通し、ブレーキデスクリング(１３４)に並んで回転軸(１３３)にブレーキ管(１３５)が装着されていて、回転軸(１３３)に突起(１３６)が形成され、紙管支持ドラム(１３７)に突起(１３６)の形状を反映した開口部(１３８)が設けてあって、開口部(１３８)に突起(１３６)がはまって、回転軸(１３３)と紙管支持ドラム(１３７)は一体となっていて、紙管支持ドラム(１３７)の表面に雄螺子(１３９)が形成され、切り込みが設けられている。
【００８６】
グリップ(１３２)の中央部から上は回転軸(１３３)を貫通して、グリップ(１３２)の上端に回転軸(１３３)脱落止めフック(１４０)が設けられて、一体の回転軸(１３３)と紙管支持ドラム(１３７)はグリップ(１３２)の上部を軸として回転自在に成っていて、グリップ(１３２)の中央部にブレーキ板(１４１)が固定装着されていて、ブレーキ板(１４１)に紙管コントロール突起(１４２)と回転カッター止め突起(１４３)を設けている。
【００８７】
本考案４、図１９−図２４符合１５１−符合１８５のストレッチフィルム操作具(１５１)は、紙管(１５２)にストレッチフィルム(１５３)を巻き付けた巻きストレッチフィルム(１５３)を装着して使用するストレッチフィルム操作具(１５１)であって、紙管支持具(１５４)とリフトハンドル(１５５)と回転カッター(１５６)から成っている。
【００８８】
紙管支持具(１５４)は、紙管(１５２)に装着された紙管支持ドラム(１５７)は延長されてブレーキデスク筒(１５８)に成っていて、上下の紙管支持ベース(１５９)にブレーキデスク筒(１５８)が貫通する紙管支持ベース筒(１６０)が形成され、ブレーキデスク筒(１５８)の内側に紙管支持ドラム操作板(１６１)が形成され、紙管支持ドラム操作板(１６１)に紙管支持ドラム操作筒(１６２)が装着されている。
【００８９】
紙管支持ドラム(１５７)の表面に雄螺子(１６３)と切り込み(１６４)が形成され、紙管支持ベース筒(１６０)に穴(１６５)が設けられていて、紙管支持ベース筒(１６０)の周囲にブレーキパッド(１６６)を有するブレーキベルト(１６７)が設けてあって、穴(１６５)にブレーキパッド(１６６)がはまってブレーキパッド(１６６)とブレーキデスク筒(１５８)が接触していて、ブレーキベルト(１６７)の端は紙管支持ベース(１５９)に留められている。
【００９０】
回転カッター(１５６)は、カッター支持アーム(１６８)に紙管支持ベース筒(１６０)が貫通するカッター支持アームリング(１６９)が形成され、補助ローラー支持アーム(１７０)に紙管支持ベース筒(１６０)が貫通する補助ローラー支持アームリング(１７１)が形成され、紙管支持ベース筒(１６０)の一部はフック(１７２)に成っていて、フック(１７２)はカッター支持アームリング(１６９)と補助ローラー支持アームリング(１７１)の横ずれを止めている。
【００９１】
上下のカッター支持アーム(１６８)の間にカッタースライドバー(１７３)とローラー軸(１７４)が装着され、カッタースライドバー(１７３)にカッタースライドベース(１７５)がローラー軸(１７４)にローラー(１７６)が装着されて、カッタースライドベース(１７５)にカッター刃(１７７)を有するカッター刃レバー(１７８)がカッター刃レバー(１７８)を跳ね上げるスプリングと共に葉動自在に装着されている。
【００９２】
上下の補助ローラー支持アーム(１７０)の間に補助ローラー軸(１７９)が設けられ、補助ローラー軸(１７９)に補助ローラー(１８０)が装着されて、カッター支持アーム(１６８)にローラー(１７６)と補助ローラー(１８０)の距離を保持する為のストッパーボタン(１８１)が設けられている。
【００９３】
カッター支持アームリング(１６９)と補助ローラー支持アームリング(１７１)が接する面のカッター支持アームリング(１６９)と補助ローラー支持アームリング(１７１)にスプリングスペースが設けられ、紙管支持ベース筒(１６０)にアームスプリング(１８２)が装着され、アームスプリング(１８２)の一端はカッター支持アームリング(１６９)に他端は補助ローラー支持アームリング(１７１)に係止されている。
【００９４】
リフトハンドル(１５５)は、上下の紙管支持ベース(１５９)にリフトハンドルベース(１８３)の両端が固定装着されていて、リフトハンドルベース(１８３)にブレーキレバー(１８４)が装着され、上下のブレーキベルト(１６７)を繋ぐジョイントベルト(１８５)が設けられている。
【００９５】
巻きストレッチフィルム(１５３)をストレッチフィルム操作具（１５１）への装着方法は、ストレッチフィルム操作具（１５１）の正面を下にして平らな面に置いて、左右のブレーキデスク筒(１５８)の左右の端を内側に押して紙管(１５２)の左右の端から紙管支持ドラム(１５７)を挿入し、紙管支持ドラム操作板(１６１)を回して紙管(１５２)の内面に雄螺子(１６３)を食い込ませる。
【００９６】
一方手でカッタースライドバー(１７３)を押さえ他方の手で補助ローラー(１８０)を引き上げるとストッパーボタン(１８１)に補助ローラー支持アーム(１７０)が係止して、ローラー(１７６)と補助ローラー(１８０)の開いた状態が保持出来て、ローラー(１７６)と補助ローラー(１８０)の間にストレッチフィルム(１５３)端を通過させ、左右のストッパーボタン(１８１)を外方向に開くとアームスプリング(１８２)によりストレッチフィルム(１５３)はローラー(１７６)と補助ローラー(１８０)で挟まれて使用可能状態になる。
【００９７】
巻きストレッチフィルム(１５３)が装着されたストレッチフィルム操作具（１５１）の使用方法は、ブレーキレバー(１８４)を押しストレッチフィルム(１５３)の回転を調整して、所望する製品にストレッチフィルム(１５３)の巻き付けが完了した時点でブレーキレバー(１８４)を強く押してストレッチフィルム(１５３)の回転を止め、カッター刃レバー(１７８)を押し、カッタースライドベース(１７５)をスライドするとストレッチフィルム(１５３)は切断出されて、補助ローラー軸(１７９)と補助ローラー(１８０)、又は、ローラー軸(１７４)とローラー(１７６)に設けたラチェト機能によりストレッチフィルム(１５３)の巻き戻りが無くストレッチフィルム(１５３)の端がローラー(１７６)から数センチ出ている。
【産業上の利用可能性】
【００９８】
本考案のストレッチフィルム操作具は包装用フィルム、建築養生シート、農業の保温フィルム、雑草止めフィルム操作に幅広く活用可能です。
【符号の説明】
【００９９】
１  紙管
２  ストレッチフィルム
３  ストレッチフィルム操作具
４  紙管操作グリップ
５  紙管支持ドラム
６  グリップボディー
７  ブレーキパット
８  ブレーキ帯
９  穴
１０  フック
１１  フック留
１２  ボルト
１３  ナット
１４  ブレーキリング
１５  溝
１６  紙管支持ドラム留めフック
１７  雄螺子
１８  スプリング
１９  切り込み
２０  円筒形部分
２１  円筒間
５１  紙管
５２  ストレッチフィルム
５３  ストレッチフィルム操作具
５４  紙管操作グリップ
５５  紙管支持ドラム
５６  グリップシャフト
５７  ブレーキグリップ
５８  ブレーキグリップ脱落止め
５９  グリップリング
６０  グリップシャフト装着管
６１  雄螺子
６２  切り込み
６３  円筒形部分
６４  円筒間
１０１  ストレッチフィルム操作具
１０２  紙管
１０３  ストレッチフィルム
１０４  紙管支持具
１０５  回転カッター
１０６  ハンドル
１０７  ブレーキ管
１０８  カッター刃アーム
１０９  ローラー軸
１１０  カッター刃軸
１１１  ローラー脱落止めフック
１１２  ローラー
１１３  カッター刃
１１４  ブレーキパット装着穴
１１５  ブレーキパット
１１６  スプリング
１１７  回転軸
１１８  ブレーキデスクリング
１１９  紙管支持ドラム
１２０  紙管支持ドラム移動止め輪
１２１  紙管支持ドラム脱落止めフック
１２２  突起
１２３  開口部
１２４  雄螺子
１２５  切り込み
１２６  グリップ
１２７  グリップ移動止め輪
１２８  グリップフック
１２９  ブレーキ板
１３０  紙管コントロール突起
１３１  回転カッター止め突起
１３２  グリップ
１３３  回転軸
１３４  ブレーキデスクリング
１３５  ブレーキ管
１３６  突起
１３７  紙管支持ドラム
１３８  開口部
１３９  雄螺子
１４０  フック
１４１  ブレーキ板
１４２  紙管コントロール突起
１４３  回転カッター止め突起
１５１  ストレッチフィルム操作具
１５２  紙管
１５３  ストレッチフィルム
１５４  紙管支持具
１５５  リフトハンドル
１５６  回転カッター
１５７  紙管支持ドラム          
１５８  ブレーキデスク筒
１５９  紙管支持ベース      
１６０  紙管支持ベース筒    
１６１  紙管支持ドラム操作板
１６２  紙管支持ドラム操作筒
１６３  雄螺子
１６４  切り込み                
１６５  穴
１６６  ブレーキパッド          
１６７  ブレーキベルト      
１６８  カッター支持アーム    
１６９  カッター支持アームリング
１７０  補助ローラー支持アーム
１７１  補助ローラー支持アームリング    
１７２  フック                    
１７３  カッタースライドバー    
１７４  ローラー軸              
１７５  カッタースライドベース      
１７６  ローラー                
１７７  カッター刃
１７８  カッター刃レバー
１７９  補助ローラー軸
１８０  補助ローラー
１８１  スットパーボタン
１８２  アームスプリング
１８３  リフトハンドルベース
１８４  ブレーキレバー
１８５  ジョイントベルト
【図１】
2020104857.tif 000003
【図２】
2020104857.tif 000004
【図３】
2020104857.tif 000005
【図４】
2020104857.tif 000006
【図５】
2020104857.tif 000007
【図６】
2020104857.tif 000008
【図７】
2020104857.tif 000009
【図８】
2020104857.tif 000010
【図９】
2020104857.tif 000011
【図１０】
2020104857.tif 000012
【図１１】
2020104857.tif 000013
【図１２】
2020104857.tif 000014
【図１３】
2020104857.tif 000015
【図１４】
2020104857.tif 000016
【図１５】
2020104857.tif 000017
【図１６】
2020104857.tif 000018
【図１７】
2020104857.tif 000019
【図１８】
2020104857.tif 000020
【図１９】
2020104857.tif 000021
【図２０】
2020104857.tif 000022
【図２１】
2020104857.tif 000023
【図２２】
2020104857.tif 000024
【図２３】
2020104857.tif 000025
【図２４】
2020104857.tif 000026